(57)【要約】【課題】  従来、テープリール保管用低湿庫にテープリールを保管する場合、マウンタに取り付けられているテープフィーダからテープリールのテープを外す必要があるため、手間と時間がかかり、また、テープの先端を切り取る必要があり、ＩＣパッケージが無駄になってしまうという欠点があった。【解決手段】  本発明のテープリール保管用低湿庫は、低湿庫内にテープリール保管用ボックスと、テープフィーダ固定部とを設ける。また、低湿庫内にテープフィーダ取付架台と、テープフィーダ固定部とを設ける。上記ボックス又は取付架台はスライド自在とする。【選択図】  図２
2005096888.tif 000002
【特許請求の範囲】
【請求項１】
電子部品を有するテープを巻いたテープリール保管用ボックスと、この保管用ボックスに隣接して設けたテープフィーダ固定部とを有することを特徴とするテープリール保管用低湿庫。
【請求項２】
上記保管用ボックスをスライドせしめるスライド手段を更に有することを特徴とする請求項１記載のテープリール保管用低湿庫。
【請求項３】
電子部品を有するテープを巻いたテープリール一体型テープフィーダの取付架台を有することを特徴とするテープリール保管用低湿庫。
【請求項４】
上記テープフィーダ取付架台をスライドせしめるスライド手段を更に有することを特徴とする請求項３記載のテープリール保管用低湿庫。
【請求項５】
低湿庫内の湿度に応じた電圧を発生する手段と、この電圧発生手段からの電圧を所定の湿度に対応する電圧と比較して出力を発生するコンパレータと、このコンパレータに出力を生じた時刻から出力が消えた時刻迄の時間を計測する手段と、この計測された時間が所定時間より長いとき警報を発する警報手段を更に有することを特徴とする請求項１、２、３または４記載のテープリール保管用低湿庫。
【請求項６】
低湿庫内の湿度に応じた電圧を発生する手段と、この電圧発生手段からの電圧を所定の湿度に対応する電圧と比較して出力を発生するコンパレータと、このコンパレータに出力を生じた時刻から出力が消えた時刻迄の時間を計測する手段と、この計測された時間が第１の所定時間より長いとき警報を発する警報手段と、上記計測された時間が上記第１の所定時間より短いとき上記時間を記憶する手段と、このように記憶された短い時間を累積する手段と、この累積時間が上記第１の所定時間より長い第２の所定時間より長くなったとき警報を発する警報手段とを更に有することを特徴とする請求項１、２、３または４記載のテープリール保管用低湿庫。
【発明の詳細な説明】
【技術分野】
【０００１】
本発明はテープリール保管用低湿庫、特にＩＣパッケージを接着したテープを巻いたテープリールの保管用低湿庫に関するものである。
【背景技術】
【０００２】
電子機器に使用するＩＣパッケージをプリント基板上に表面実装する場合にはマウンター（実装機）を使用する。このマウンターにＩＣパッケージを装着する方式にはＩＣパッケージを列状に接着したテープを渦巻き状にリールに装着したテープリール方式、透明プラスチック樹脂製の中空箱状体のステックにＩＣパッケージを数１０個入れて密閉したステック方式、及びプラスチック樹脂製の４角の弁当箱状のトレイに格子状の仕切りを入れてその中にＩＣパッケージを収納するトレイ方式の３方式がある。上記の３種類を生産ロットによって使い分ける。
【０００３】
即ち、小量生産の場合はトレイやステック方式を使用し、大量生産の場合はＩＣパッケージを連続供給可能なテープリール方式を使用する。従来のテープリール保管庫としては特許文献１に示すものがある。
【特許文献１】特開平８−１２０２７号公報（図１）。
【０００４】
プリント基板上に表面実装したＩＣパッケージに約270℃の熱を約４分間加えてハンダ付けを行う。この際ＩＣパッケージが水分を含んでいると加えた熱によってＩＣパッケージ内の水分が瞬時に膨張し内部回路を破壊してしまう。これを防止する為にＩＣパッケージは大気中の水分を吸着しない様アルミ製の防湿袋に新しいシリカゲルと一緒に密封して工場から出荷される。この防湿袋から取り出した後の管理基準も細かく規定されている。
【０００５】
例えば、米国の共同電子機器技術委員会による基準ＩＰＣ／ＪＥＤＥＣ  Ｊ−ＳＴＤ−０３３によると防湿袋から取り出したＩＣパッケージは実装するまでの許容時間が製品レベルごとに決められており、短い時間のものから24時間、48時間、72時間、・・・等となっておりこの時間内に実装する様決められている。また、許容時間内に実装出来ないＩＣパッケージは湿度5％ＲＨまたは10％ＲＨ以下の低湿庫で管理すれば防湿袋内で保存されているものと同一として取り扱うことが認められている。一般にこの様な低湿庫はスチール製であり内部に棚板をセットしこの棚板の上にトレイ又はステックに収納されたＩＣパッケージ又はテープリールに巻かれたＩＣパッケージを保管する。この低湿庫の前面には２〜６個のガラス扉が設けられており低湿庫内が見えるようになっている。この扉を随時開閉しＩＣパッケージの取り出しを行うが、扉を開閉すると湿度の高い外気が侵入し低湿庫内の湿度は上昇するが扉を閉めると湿度は下がり始め、一定時間後に5％ＲＨまたは10％ＲＨ以下になる。
【０００６】
このように扉を開放すると庫内の湿度は上昇するので、扉を閉じてこの上昇した湿度が規定値までに下がる時間をＩＰＣ／ＪＥＤＥＣ  Ｊ−ＳＴＤ−０３３は1時間以内と規定している。この下がるのに要する時間が１時間を越えてしまうと防湿袋と同等の低湿度機能が失われ低湿庫内に保管したＩＣパッケージは規定値以上の水分を吸着してしまうので、この水分を抜いてから実装しないとリフロー時の熱によってＩＣパッケージの内部回路が破壊してしまう。
【０００７】
この様な問題を回避する為には、扉を開けている時間や開閉頻度、扉が完全に閉まっているかの確認、又は夜間及び休日の停電等に十分気をつけなければならない。
【０００８】
一般にこの種の低湿庫には庫内の水分を吸着する為のドライユニットが搭載されている。このドライユニットは吸着剤にゼオライトを使用しこのゼオライトを一定間隔で熱再生し、この再生時の水分を庫内外の切り替えシャッターにより庫外に排出する。一定時間の熱再生終了後庫外シャッターを閉とし庫内シャッターを開として低湿庫内の水分を吸着し、低湿庫内の湿度を例えば5％ＲＨ以下に保っている。
【発明の開示】
【発明が解決しようとする課題】
【０００９】
大量生産用に使用するテープリール方式の場合、テープリールの入れ替えが頻繁に行われる。この際マウンター内に設けたテープリールに巻かれたテープを送るテープフィーダからテープリールのテープをその都度取りはずしてテープリールを低湿保管庫の棚板上に収納しなくてはならない。このテープフィーダとテープリールのテープの脱着に約３〜４分かかる。又、取り外しの際先端のテープを切り取るのでＩＣパッケージも３〜４個無駄になってしまうという欠点があった。また、テープフィーダの先端にテープリールが固定されたものの場合には、テープリールをテープフィーダから取りはずす手間もかかる。
【００１０】
本発明は上記のような欠点を除くようにしたものである。
【課題を解決するための手段】
【００１１】
本発明のテープリール保管用低湿庫は、電子部品を有するテープを巻いたテープリール保管用ボックスと、この保管用ボックスに隣接して設けたテープフィーダ固定部とを有することを特徴とする。
【００１２】
また、本発明のテープリール保管用低湿庫は、上記保管用ボックスをスライドせしめるスライド手段を更に有することを特徴とする。
【００１３】
また、本発明のテープリール保管用低湿庫は、電子部品を有するテープを巻いたテープリール一体型テープフィーダの取付架台を有することを特徴とする。
【００１４】
また、本発明のテープリール保管用低湿庫は、上記テープフィーダ取付架台をスライドせしめるスライド手段を更に有することを特徴とする。
【００１５】
また、本発明のテープリール保管用低湿庫は、低湿庫内の湿度に応じた電圧を発生する手段と、この電圧発生手段からの電圧を所定の湿度に対応する電圧と比較して出力を発生するコンパレータと、このコンパレータに出力を生じた時刻から出力が消えた時刻迄の時間を計測する手段と、この計測された時間が所定時間より長いとき警報を発する警報手段を更に有することを特徴とする。
【００１６】
また、本発明のテープリール保管用低湿庫は、低湿庫内の湿度に応じた電圧を発生する手段と、この電圧発生手段からの電圧を所定の湿度に対応する電圧と比較して出力を発生するコンパレータと、このコンパレータに出力を生じた時刻から出力が消えた時刻迄の時間を計測する手段と、この計測された時間が第１の所定時間より長いとき警報を発する警報手段と、上記計測された時間が上記第１の所定時間より短いとき上記時間を記憶する手段と、このように記憶された短い時間を累積する手段と、この累積時間が上記第１の所定時間より長い第２の所定時間より長くなったとき警報を発する警報手段とを更に有することを特徴とする。
【発明の効果】
【００１７】
本発明のテープリール保管用低湿庫においては、テープフィーダの固定部や取付架台を有するため、テープリールのテープを装着したままのテープフィーダを低湿庫で保管できるのでテープフィーダからテープを脱着する時間や手間を省くことができコストダウンを図ることができる。
【００１８】
また、上記ボックスや取付架台にスライドレールを設け、これらを低湿庫外に引き出し得るようにしたので、テープリール及びテープフィーダの固定が容易である。
【００１９】
また、テープフィーダ上面と上部の棚板下面との間の隙間が狭くても、低湿庫の外でテープリールとテープフィーダの取り付けができるので、低湿庫を小さくすることができる。
【００２０】
また、テープフィーダ取付板のピンの位置を変更でき、また、テープフィーダ取付板を交換できるので、異なるテープフィーダの保管にも対応できる。
【００２１】
また、ボックスや取付架台を低湿庫内に固定する固定手段を設けたので、地震などでボックス等が低湿庫前面から飛び出しガラスを割ることがないようになる。
【発明を実施するための最良の形態】
【００２２】
以下図面によって本発明の実施例を説明する。
【実施例１】
【００２３】
図１及び図２は本発明のテープリール保管用低湿庫を示し、１はスチール製で出来ている本体、２はこの本体１の前面に取り付けてあるスチール製の扉で内部が見えるよう透明のガラス窓３を設けている。上記本体１と扉２の密着面はマグネットパッキングによって密閉度を保つようにしている。この低湿庫の本体内部には湿度を下げるためのドライユニット４を搭載している。また、５は低湿庫内の湿度を管理するため前面のガラス窓３の内側に取付けられている湿度計である。
【００２４】
本発明においては、図２及び図３に示すように、上記本体１内に電子部品を有するテープを巻いたテープリール６を保管するボックス７を設け、このボックス７の後方上部には、テープフィーダ８を固定するテープフィーダ固定部９を形成する。
【００２５】
また、上記ボックス７には図３に示すように、複数の仕切り板１０によって仕切られた複数のテープリール保管部１１を形成し、上記テープフィーダ固定部９にはテープフィーダ取付板１２を形成し、このテープフィーダ取付板１２上面には上記各テープリール保管部１１に対応して、テープフィーダ８の底面に設けたマウンタ固定用孔（図示せず）に嵌合される前後１対のピン１３を設ける。更に、上記ボックス７を前後方向に移動自在ならしめるスライドレール１４を本体１内に設ける。
【００２６】
なお、図１〜図３において１５は上記ボックス７の前面に設けた取手、１６は上記本体１内に設けた、電子部品を収納したステック１７及びトレイ１８を保管する棚板、１９は本体１内に設けたボックス固定ピン（図示せず）を挿入するため上記ボックス７に設けた孔である。
【００２７】
本発明のテープリール保管用低湿庫は上記のような構成であるから、テープリール６を上記低湿庫に保管するため、マウンタ（図示せず）からテープリール６を取り外す際には、テープフィーダ８とテープリール６の双方をマウンタから取り外し、上記本体１の前面扉２を開け、本体１内の上記ボックス７を低湿庫外までスライドせしめ、上記ボックス７のテープリール保管部１１にテープリール６を載置し、上記テープフィーダ８に形成されている固定用孔を上記テープフィーダ取付板１２上のピン１３に嵌合せしめ上記テープフィーダ取付板１２にテープフィーダ８を固定し、上記ボックス７を本体１内にスライドせしめて、扉２を閉め、低湿で保管する。
【００２８】
また、上記テープリール６とテープフィーダ８をマウンタに装着する場合には、上記本体１の前面扉２を開け、上記ボックス７を低湿庫外までスライドせしめ、上記ボックス７から上記テープリール６とテープフィーダ８を取り外し、上記テープリール６のテープ２０が上記テープフィーダ８に付いたままの状態でマウンタに取り付けるようにする。
【００２９】
なお、テープフィーダに形成されている固定用孔の位置に応じて、テープフィーダ取付板１２上のピン１３の位置を移動できるようにしてもよく、また、テープフィーダ８の底面に固定用孔の代りにピンが形成されているような場合には、上記テープフィーダ取付板１２をこのピンに嵌合する孔を有するものに交換できるようにしてもよい。
【００３０】
また、上記ボックス７の仕切り板１０の位置は、テープリール６の幅に合わせて左右方向に移動可能とする。
【実施例２】
【００３１】
図４はテープフィーダ８にテープリール６が固定されている場合のテープリール保管用低湿庫を示し、この実施例ではボックス７を用いる代わりに、テープフィーダ取付架台２１を用い、この取付架台２１の上面に実施例１におけるテープフィーダ取付板１２を取り付け、低湿庫内には上記取付架台２１を前後方向に移動自在ならしめるスライドレール１４を設ける。
【００３２】
本発明の他の実施例は上記のような構成であるから、テープリール６を上記低湿庫に保管する場合には、マウンタからテープリール６と、テープフィーダ８を上記テープリール６のテープ２０が上記テープフィーダ８に付いたままの状態で取り外し、上記本体１の前面扉２を開け、上記取付架台２１を低湿庫外までスライドせしめ、上記テープフィーダ８に形成されている固定用孔に上記テープフィーダ取付板１２のピン１３を嵌合せしめることによって上記テープフィーダ取付板１２にテープフィーダ８とテープリール６とを固定し、上記取付架台２１を本体１内にスライドせしめて、扉２を閉め、低湿で保管する。
【００３３】
また、上記テープリール６とテープフィーダ８をマウンタに装着する場合には、上記本体１の前面扉２を開け、上記取付架台２１を低湿庫外までスライドせしめ、上記取付架台２１から上記テープリール６とテープフィーダ８を取り外し、マウンタに取り付けるようにする。
【実施例３】
【００３４】
本発明の更に他の実施例は、低湿庫の前面に図５及び図６に示す警報装置２２を取り付ける。図５及び図６において２３は警報ランプ、２４はこの警報ランプ２３を消灯する警報停止スイッチ、２５は入力コネクター、２６は電源スイッチ、２７は運転ランプ、２８は湿度を設定するための比較電圧発生器の発生電圧を例えば5％ＲＨと10％ＲＨに対応する値に切り換える切り換え器を示す。
【００３５】
図７は上記警報装置２２の動作説明図、図８はそのフローチャートを示し、２９は比較電圧発生器、３０はコンパレータ、３１はタイマー、３２は電源である。
【００３６】
本発明においては低湿庫の湿度が設定値以上となり、その後一時間例えば60分を超えても設定値に戻らなかった場合には、警報ランプ２３を点灯し、その後庫内の湿度が下がっても点灯し続けるようにする。
【００３７】
この警報ランプ２３を消灯する時は警報停止スイッチ２４を押してランプ２３を消灯する。
【００３８】
上記警報装置２２においては、湿度計５の出力電圧３３と、所定の湿度に対応する比較電圧発生器２９よりの比較電圧３４とをコンパレータ３０で比較し、コンパレータ３０に出力が生じたとき即ち、上記出力電圧３３が上記比較電圧３４より高いときタイマー３１を始動し、コンパレータ３０の出力がそのまま一定時間、例えば60分間続いたとき、この時間をタイマー３１で読み取り、上記警報ランプ２３を点灯せしめ、その後この点灯を継続せしめる。
【００３９】
この警報ランプ２３は点滅点灯としても良く、通常は青色や緑色で、異常時のみ赤色に変色するようにしても良く、また、代りにブザーを用いても良い。
【００４０】
また夜間及び休日等に停電があると庫内の湿度は規定値を越えてしまうが、停電が復帰すると規定値以下にもどってしまう為、この間の湿度オーバーが分からない。即ち、上記警報装置２２は停電時も表示しなくてもならないので電源２０としては例えばＤＣ−６Ｖの電池を使用し、またはＡＣ−１００ＶをＤＣ−６Ｖに変換させて作動させる。この場合は停電時に対応出来る様、充電式の電池を組み込む。
【００４１】
尚この低湿庫を管理する湿度計は定期的な校正を行う為に、取り付け、取り外しを行うので、湿度計の出力を伝達するコードは、先端にコネクター２５を取り付け湿度計５と警報装置２２の接続及び切り離しを容易にする。また、この警報装置２２は湿度計に直接取り付けることも出来る。
【００４２】
上記実施例によれば、一定時間、例えば湿度5％ＲＨまたは10％ＲＨを越えた時間が60分以上になった場合はＩＣパッケージの実装を阻止できるが、例えば、短時間に数回60分に達する直前に湿度が所定値以下に低下した場合には、殆んど実装に向かないＩＣパッケージでも警報が出ないのでそのまま使用することになる不都合がある。
【００４３】
従って本発明の他の実施例においては、コンパレータ３０に出力が生じた後上記60分より以前に出力が生じなくなった場合にその間の時間を計測する他のタイマーと、このタイマーの計測時間を累積する集計手段とを用い、この集計手段によって得られた時間が上記所定時間、例えば60分より若干長い第２の所定時間に達した場合、同様にして上記警報装置２２を作動せしめるようにする。
【００４４】
このようにすればより正確な管理を行ない得るようになる。
【００４５】
このテープリール保管庫用低湿庫はトレイやテープリールのみの保管庫に比べて扉をあけている時間が長くなり庫内の湿度が上昇してしまうのでこの湿度が一時間以内に設定値まで下ったかどうかチェックすることができる。
【図面の簡単な説明】
【００４６】
【図１】本発明のテープリール保管用低湿庫の正面図である。
【図２】本発明のテープリール保管用低湿庫の縦断側面図である。
【図３】本発明のテープリール保管用低湿庫の要部の斜視図である。
【図４】本発明のテープリール保管用低湿庫の他の実施例の縦断側面図である。
【図５】本発明のテープリール保管用低湿庫の更に他の実施例の吸湿警報装置の正面図である。
【図６】本発明のテープリール保管用低湿庫の更に他の実施例の吸湿警報装置の側面図である。
【図７】本発明のテープリール保管用低湿庫の更に他の実施例の吸湿警報装置の動作説明図である。
【図８】本発明のテープリール保管用低湿庫の更に他の実施例の吸湿警報装置のフローチャートである。
【符号の説明】
【００４７】
１  本体
２  扉
３  ガラス窓
４  ドライユニット
５  湿度計
６  テープリール
７  ボックス
８  テープフィーダ
９  テープフィーダ固定部
１０  仕切り板
１１  テープリール保管部
１２  テープフィーダ取付板
１３  ピン
１４  スライドレール
１５  取手
１６  棚板
１７  ステック
１８  トレイ
１９  孔
２０  テープ
２１  テープフィーダ取付架台
２２  警報装置
２３  警報ランプ
２４  警報停止スイッチ
２５  入力コネクター
２６  電源スイッチ
２７  運転ランプ
２８  切り換え器
２９  比較電圧発生器
３０  コンパレータ
３１  タイマー
３２  電源
３３  出力電圧
３４  比較電圧
【図１】
2005096888.tif 000003
【図２】
2005096888.tif 000004
【図３】
2005096888.tif 000005
【図４】
2005096888.tif 000006
【図５】
2005096888.tif 000007
【図６】
2005096888.tif 000008
【図７】
2005096888.tif 000009
【図８】
2005096888.tif 000010